(57)【要約】【課題】軒樋を軒先に取り付けたとき、該軒樋と屋根、或いは軒樋と軒天井との外観上の色彩調和を図り、全体として意匠上の統一のとれた軒樋装置を提供する。【解決手段】本発明の軒樋装置は、前側壁部１１と後側壁部１２とのそれぞれの下縁部を底壁部１３で連結した軒樋１において、前側壁部１１と底壁部１３との連結部１４を境にして前側壁部１１の外表面色と底壁部１３の外表面色とを互いに異なる色にしたことを特徴とする。特に、軒樋１を軒先に装着したとき、軒樋１の前側壁部１１の外表面色をその軒先を形成する屋根材２の外表面色と同系統の色とすると共に、軒樋１の底壁部１３の外表面色をその軒先を形成する軒天井３の外表面色と同系統の色としたことを特徴とする。【選択図】図１
2009257041.tif 000002
【特許請求の範囲】
【請求項１】
前側壁部と後側壁部とのそれぞれの下縁部を底壁部で連結した軒樋において、前側壁部と底壁部との連結部を境にして前側壁部の外表面色と底壁部の外表面色とを互いに異なる色にしたことを特徴とする軒樋装置。
【請求項２】
上記軒樋を軒先に装着したとき、軒樋の前側壁部の外表面色をその軒先を構成する屋根材の外表面色と同系統の色とすると共に、軒樋の底壁部の外表面色をその軒先を構成する軒天井の外表面色と同系統の色としたことを特徴とする請求項１記載の軒樋装置。
【請求項３】
上記軒樋の前側壁部と底壁部との連結部の外表面に、外方に突出する突条を軒樋の長手方向に沿って形成すると共に、突条を境にして前側壁部の外表面色と底壁部の外表面色とを互いに異なる色にしたことを特徴とする請求項１記載の軒樋装置。
【請求項４】
上記軒樋の前側壁部と底壁部との連結部の外表面に、下方に垂下する垂下壁を軒樋の長手方向に沿って形成すると共に、垂下壁を境にして前側壁部の外表面色および底壁部の外表面色とを互いに異なる色にしたことを特徴とする請求項１記載の軒樋装置。
【請求項５】
上記軒樋の前側壁部と底壁部との連結部の外表面に、入隅溝を軒樋の長手方向に沿って形成すると共に、入隅溝を境にして前側壁部の外表面色および底壁部の外表面色とを互いに異なる色にしたことを特徴とする請求項１記載の軒樋装置。
【発明の詳細な説明】
【技術分野】
【０００１】
本願発明は、建物の軒先に軒樋を装着するときの軒樋装置に係り、特に、軒樋を軒先に取り付けたとき、該軒樋と屋根、或いは軒樋と軒天井との外観上の調和を図り、全体として意匠上の統一のとれた軒樋装置に関するものである。
【背景技術】
【０００２】
従来、合成樹脂製の軒樋の外表面は、単色のものが殆どであり、このため、住宅の軒先の該軒樋を装着したとき、軒樋と屋根との関係や軒樋と軒天井との関係において、該軒樋が違和感を呈する場合があり、建物全体の意匠性を低下させていた。
【０００３】
このため、木造住宅等において、上記違和感を少しでも解消するため外表面に木目模様を形成した軒樋があった（特許文献１）。
【０００４】
一方、軒樋の底壁と軒天井とを略面一とし、且つ、軒樋の屋外側の上部を屋根に向かって上り傾斜させると共に屋根の上面の延長線に略沿って位置させたことにより、軒樋と建物の軒天井との連続性が現出し、また、軒樋と建物の屋根との連続性が現出して軒樋と建物との一体感が出て軒下から見たときの外観をより一層向上させた軒樋装置があった（特許文献２）。
【特許文献１】特開２０００−２４０２３１号公報
【特許文献２】実公平７−８７０２号公報
【発明の開示】
【発明が解決しようとする課題】
【０００５】
しかしながら、上記特許文献１に開示された軒樋は、その外観全体が木目模様となっており、軒樋自身の意匠性の向上を図るものであった。また、該軒樋の木目模様と該軒樋を取り付けた建物の色彩とに関する意匠上の調和に関しては、特に言及されていない。
【０００６】
一方上記特許文献２に開示された軒樋装置は、軒樋と建物の屋根、および、軒樋と建物の軒天井とのそれぞれの相対的位置関係に配慮工夫をすることにより、軒樋と建物との一体感を出そうとしたものであり、軒樋の色彩と建物との色彩の調和に関しては言及されていない。
【０００７】
本願発明は、上記背景技術に鑑みてなしたものであり、その目的は、軒樋を軒先に取り付けたとき、該軒樋と屋根、或いは軒樋と軒天井との外観上の色彩調和を図り、全体として意匠上の統一のとれた軒樋装置を提供することにある。
【課題を解決するための手段】
【０００８】
上記課題を解決するために、本願請求項１記載の発明に係る軒樋装置は、前側壁部と後側壁部とのそれぞれの下縁部を底壁部で連結した軒樋において、前側壁部と底壁部との連結部を境にして前側壁部の外表面色と底壁部の外表面色とを互いに異なる色にしたことを特徴としている。
【０００９】
本願請求項２記載の発明は、上記請求項１記載の軒樋装置において、上記軒樋を軒先に装着したとき、軒樋の前側壁部の外表面色をその軒先を構成する屋根材の外表面色と同系統の色とすると共に、軒樋の底壁部の外表面色をその軒先を構成する軒天井の外表面色と同系統の色としたことを特徴としている。
【００１０】
本願請求項３記載の発明は、上記請求項1記載の軒樋装置において、上記軒樋の前側壁部と底壁部との連結部の外表面に、外方に突出する突条を軒樋の長手方向に沿って形成すると共に、突条を境にして前側壁部の外表面色と底壁部の外表面色とを互いに異なる色にしたことを特徴としている。
【００１１】
本願請求項４記載の発明は、上記請求項１記載の軒樋において、上記軒樋の前側壁部と底壁部との連結部の外表面に、下方に垂下する垂下壁を軒樋の長手方向に沿って形成すると共に、垂下壁を境にして前側壁部の外表面色および底壁部の外表面色とを互いに異なる色にしたことを特徴としている。
【００１２】
本願請求項５記載の発明は、上記請求項１記載の軒樋において、上記軒樋の前側壁部と底壁部との連結部の外表面に、入隅溝を軒樋の長手方向に沿って形成すると共に、入隅溝を境にして前側壁部の外表面色および底壁部の外表面色とを互いに異なる色にしたことを特徴としている。
【発明の効果】
【００１３】
本願請求項１記載の発明に係る軒樋装置においては、軒樋の前側壁部と底壁部との連結部を境にして前側壁部の外表面色と底壁部の外表面色とを互いに異なる色にしているから、該軒樋を建物の前方から見た場合と軒天井の下から見た場合のそれぞれにおいて、軒樋の前側壁部の外表面色と底壁部の外表面色とにその周囲の環境に合わせて最も相応しい色彩を採用できる。
【００１４】
従来の軒樋のように、その全体の外表面が単色で形成されている場合に該軒樋の見る位置を変えた場合、該軒樋がその周囲の環境にたまたま調和したり、或いは異様に目立つことがあったが、本発明に係る軒樋はその眺める位置が異なっても、当該軒樋が装着された建物と軒樋との意匠的調和を採りやすいのである。
【００１５】
とくに、軒樋を軒先の下から見る場合と建物の前方から見た場合とでは、その視覚に映る景色は大きく異なるものであるが、本発明は軒樋の前側壁部と底壁部との連結部を境にしてその外表面色を互いに異なる色にしているから、該軒樋を見る位置が異なっても、軒樋が不適切に目立つことを効率よく防止できる。
【００１６】
本願請求項２記載の発明に係る軒樋は、上記構成であり、特に、軒樋の前側壁部の外表面色をその軒先を構成する屋根材の外表面色と同系統の色としているから、例えば屋根材が緑色なら軒樋の前側壁部の外表面色も緑色にするものであるから、軒樋を軒先に装着したとき、軒樋の前側壁部の外表面は屋根材と一体的に見え軒樋が目立ちにくく建物全体としての重厚感をかもし出すことができる。
【００１７】
また、軒樋の底壁部の外表面色をその軒先を構成する軒天井の外表面色と同系統の色としているから、建物の室内側から軒樋を見上げた場合でも、軒樋の底壁部が軒天井に溶け込んで見え、従って、軒樋が目立たず違和感が発生しにくいのである。
【００１８】
本願請求項３記載の発明に係る軒樋は、上記構成であり、特に、軒樋の前側壁部と底壁部との連結部の外表面に、外方に突出する突条を形成しているから、該連結部を境にして該前側壁部と底壁部とのそれぞれの色彩を一層際立てることができる。
【００１９】
また、軒樋の前方あるいは下方から見るときにおいて、該突条が邪魔をして該前側壁部と底壁部とのそれぞれの色の干渉を、当該見者が感じるのを防ぐことができる。
【００２０】
更に、該突条を軒樋の長手方向に沿って形成しているから、軒樋の長手方向の曲げ剛性も強化される。
【００２１】
本願請求項４記載の発明に係る軒樋は、上記構成であり、特に、軒樋の前側壁部と底壁部との連結部の外表面に、下方に垂下する垂下壁を軒樋の長手方向に沿って形成しているから、該垂下壁によって、軒樋の前側壁部と底壁部との外表面色は完全に分離され互いに色干渉をすることは殆ど起こらない。
【００２２】
さらに、該垂下壁は軒樋の前側壁部の一部にもなり、該前側壁部および垂下壁の前側壁部側の面に同色を施すことにより、軒樋の重厚感が一層増すのである。
【００２３】
本願請求項５記載の発明に係る軒樋は、上記構成であり、特に、軒樋の前側壁部と底壁部との連結部の外表面に、入隅溝を軒樋の長手方向に沿って形成しているから、上記連結部における効果を有しつつ、該軒樋の意匠上の設計の自由度が一層大きくなる。
【００２４】
さらに、該入隅溝は軒樋の長手方向の曲げ剛性の強化に大きく貢献することができる。
【発明を実施するための最良の形態】
【００２５】
以下本願発明に係る軒樋装置の実施の形態について図面を参照して説明する。図１は本願発明の第１の実施の形態である軒樋装置の軒樋装着状態を示す側面図である。同図において、１は合成樹脂からなる軒樋であり、該軒樋１はいわゆる上部が開口した角形軒樋であり前側壁部１１と後側壁部１２とのそれぞれの下縁部を底壁部１３で連結したものである。１４は前側壁部１１および後側壁部１２と底壁部１３との連結部である。
【００２６】
図１に示した軒樋１は軒樋支持具（図示せず）によって、軒先に装着されている。２は該軒先を構成する屋根材、３が該軒先の軒天井であり、軒樋１の底壁部１３の外表面と該軒天井３とが略面一となるよう軒樋１が軒先に装着されている。
【００２７】
該軒樋１は前側壁部１１と底壁部１３との連結部１４を境にして前側壁部１１の外表面色と底壁部１３の外表面色とを互いに異なる色にしている。
【００２８】
具体的には、軒樋１の前側壁部１１の外表面色をその軒先を構成する屋根材２の外表面色と同系統の色にしている。例えば、屋根材２が緑色の場合は該前側壁部１１の外表面色も緑色にしている。また、軒樋１の底壁部１３の外表面色をその軒先を構成する軒天井３の外表面色と同系統の色にしている。例えば、軒天井３の外表面色が茶色の場合は該底壁部１３の外表面色も茶色にしている。
【００２９】
上記構成によって、該軒樋を建物の前方から見た場合と軒天井の下から見た場合のそれぞれにおいて、軒樋の前側壁部１１の外表面色と底壁部１３の外表面色とをその周囲の環境に合わせて最も相応しい色彩を採用できるようにしている。
【００３０】
軒樋１の前側壁部１１と底壁部１３とのそれぞれの外表面色を互いに異なる色にする手段としては、連結部１４を境として、例えば、該前側壁部１１を緑色の塗装し該底壁部１３を茶色に塗装した。しかし、合成樹脂製の軒樋１の前側壁部１１を緑色に着色した樹脂を用い該底壁部１３を茶色に着色した樹脂を用いて同時成形してもよい。勿論、軒樋１の後側壁部１２も前側壁部１１と同じ手段で成形着色する。
【００３１】
図２は本願発明の第２の実施の形態である軒樋装置の軒樋を示す横断面図である。この軒樋１はいわゆる丸軒樋を実施例としており、この軒樋１は前側壁部１１および後側壁部１２と底壁部１３とのそれぞれの連結部１４、１４の外表面に、外方に突出する突条４、４を軒樋１の長手方向に沿って形成すると共に、突条４を境にして前側壁部１１および後側壁部１２のそれぞれの外表面色と底壁部１３の外表面色とを互いに異なる色にしている。
【００３２】
この実施の形態においては、該連結部１４を境にして該前側壁部１１と底壁部１３とのそれぞれの色彩を一層際立てることができるようにしており、該突条が邪魔をして該前側壁部１１と底壁部１３とのそれぞれの色の干渉を防止し、且つ、軒樋の長手方向の曲げ剛性を強化している。
【００３３】
図３は本願発明の第３の実施の形態である軒樋装置の軒樋を示す横断面図である。この軒樋１は上記軒樋１の前側壁部１１と底壁部１３との連結部１４の外表面に、下方に垂下する垂下壁５を軒樋１の長手方向に沿って形成し、且つ、垂下壁５を境にして前側壁部１１の外表面色および底壁部１３の外表面色とを互いに異なる色にしている。
【００３４】
この軒樋１は上記第２の実施の形態の軒樋１が有する効果を具備し、かつ、該垂下壁によって、軒樋１の前側壁部１１と底壁部１３との外表面色は完全に分離され互いに色干渉をする防ぎ、さらに、該垂下壁５を軒樋１の前側壁部１１の一部とし、前側壁部１１および垂下壁５の前側壁部１１側の面に同色を施すことにより、軒樋１の重厚感を一層増すことができるようにしている。
【００３５】
図４は本願発明の第４の実施の形態である軒樋装置の軒樋を示す横断面図である。この軒樋１は軒樋１の前側壁部１１と底壁部１３との連結部１４の外表面に、入隅溝６を軒樋１の長手方向に沿って形成し、且つ、入隅溝６を境にして前側壁部１１の外表面色および底壁部１３の外表面色とを互いに異なる色にしている。
【００３６】
この軒樋１は上記第２の実施の形態の軒樋１が有する効果を具備し、かつ、該軒樋１の意匠上の設計の自由度を一層大きくしており、さらに、該入隅溝６は軒樋１の長手方向の曲げ剛性を大きく強化している。
【図面の簡単な説明】
【００３７】
【図１】本願発明の第１の実施の形態である軒樋装置の軒樋装着状態を示す側面図。
【図２】本願発明の第２の実施の形態である軒樋装置の軒樋を示す横断面図。
【図３】本願発明の第３の実施の形態である軒樋装置の軒樋を示す横断面図。
【図４】本願発明の第４の実施の形態である軒樋装置の軒樋を示す横断面図。
【符号の説明】
【００３８】
１      軒樋
１１    前側壁部
１２    後側壁部
１３    底壁部
１４    前側壁部と底壁部との連結部
２      屋根材
３      軒天井
４      連結部に形成した突条
５      連結部に形成した垂下壁
６      連結部に形成した入隅溝
【図１】
2009257041.tif 000003
【図２】
2009257041.tif 000004
【図３】
2009257041.tif 000005
【図４】
2009257041.tif 000006